(57)【要約】【課題】  表示画面を取り付けたカメラケースを提供する。【解決手段】  デジタルカメラ１１が収納可能な収納状態からシート状に展開した展開状態にすることが可能なカメラケース１の表面に、可撓性を有する表示部２１を取り付けることとした。また、カメラケース１には、表示部２１に画像を表示させるための表示制御装置３を取り付けることとした。表示制御装置３は、信号ケーブル４５及び電源ケーブル４６が接続できるようになっているので、デジタルカメラ１１からデータ信号が表示制御装置３に伝送されると、表示制御装置３は表示部２１に画像を表示させる。表示部２１の画面サイズは、デジタルカメラ１１のＬＣＤよりも大きいので、撮影した画像のチェックを容易に行うことや、持ち運び時の煩雑さを解消することが可能になる。【選択図】        図５
2007027869.tif 000002
【特許請求の範囲】
【請求項１】
電子カメラを収納可能な収納状態と、シート状に展開された展開状態とにすることが可能なカメラケースにおいて、
前記収納状態の時には前記カメラケースの内面側に位置付けられ、前記展開状態の時には露呈するように前記カメラケースに重ねられた可撓性を有するシート状の表示手段と、
前記電子カメラから出力されたデータ信号を伝送する信号ケーブルが接続される入力端子を有し、前記データ信号に基づいて前記表示手段に画像を表示させる表示制御手段とを備えたことを特徴とするカメラケース。
【請求項２】
電子カメラを収納可能な収納状態と、シート状に展開された展開状態とにすることが可能なカメラケースにおいて、
前記収納状態の時には前記カメラケースの内面側に位置付けられ、前記展開状態の時には露呈するように前記カメラケースに重ねられた可撓性を有するシート状の表示手段と、
前記電子カメラとの間でデータ信号の送受信を行う送受信部を有し、前記データ信号に基づいて前記表示手段に画像を表示させる表示制御手段とを備えたことを特徴とするカメラケース。
【請求項３】
前記表示制御手段は、前記表示制御手段及び前記表示手段を動作させる駆動電源を備えたことを特徴とする請求項１又は２記載のカメラケース。
【請求項４】
前記駆動電源には、前記電子カメラ用のバッテリが使用されていることを特徴とする請求項３記載のカメラケース。
【請求項５】
前記表示制御手段は、前記収納状態時に前記電子カメラの背面に位置する背面部に設けられていることを特徴とする請求項１ないし４のいずれか一に記載のカメラケース。
【請求項６】
前記表示手段は、エレクトロルミネセンスから構成されていることを特徴とする請求項１ないし５のいずれか一に記載のカメラケース。
【発明の詳細な説明】
【技術分野】
【０００１】
本発明は、カメラを収納するカメラケースに関し、さらに詳しくは、カメラを収納する収納状態から、シート状に展開された展開状態にすることが可能なカメラケースに関する。
【背景技術】
【０００２】
ＣＣＤ等の固体撮像素子を用いて、被写体光を電気信号に変換し、変換した電気信号をデジタルデータに変換してフラッシュメモリ等の記録媒体に記録するデジタルカメラが普及している。デジタルカメラは、液晶表示装置（ＬＣＤ：Ｌｉｑｕｉｄ  Ｃｒｙｓｔａｌ  Ｄｉｓｐｌａｙ）を備えている。この液晶表示装置（以下、ＬＣＤという。）は、一般にデジタルカメラの背面側に設けられている。撮影時には、ＬＣＤは撮影の構図を決定する際のファインダーとして使用される。また、撮影した画像を再生する場合には、ＬＣＤはフラッシュメモリに記録された圧縮画像データに基づく画像を表示する表示画面として使用される。このように、ＬＣＤは、撮影前後における被写体画像の状態を確認するために使用されるものであるから、その画面サイズは大きい方が好ましい。
【０００３】
一方、近年は、デジタルカメラの小型化・薄型化が図られている。しかし、デジタルカメラの表示装置にＬＣＤを使用する場合には、ＬＣＤの表面にアクリル等の透明な樹脂板を配置して、ＬＣＤの表面を保護するようにする必要がある。このため、デジタルカメラの表示装置としてＬＣＤを使用する場合には、ある程度の厚みが必要とされる。したがって、デジタルカメラを小型化・薄型化させるために、ＬＣＤ以外の表示装置として、可撓性のあるＥＬ（Ｅｌｅｃｔｒｏ  Ｌｕｍｉｎｅｓｃｅｎｃｅ）を表示装置に使用したデジタルカメラに関する技術が公開されている。例えば、特許文献１に記載されているデジタルカメラでは、ＥＬを巻き取ることができる巻取り機構を備えたデジタルカメラが記載されている。特許文献１に記載のデジタルカメラによれば、携帯時には巻き取り機構がＥＬを巻き取るようにしているので、携帯時にＥＬの表面に傷がつくことを防止することができる。したがって、携帯時にＥＬの表面を保護する保護部材を予め設ける必要がなくなり、デジタルカメラの薄型化を図ることが可能になる。
【特許文献１】特開２００３−３０９７４４号公報
【発明の開示】
【発明が解決しようとする課題】
【０００４】
しかしながら、特許文献１に記載されているデジタルカメラでは、カメラボディの薄型化は達成することができるものの、表示装置の大型化を図ることができないという問題がある。表示装置がデジタルカメラに設けられているため、デジタルカメラが小型化されれば、それに伴って表示装置も小型化せざるを得ないからである。また、通常のデジタルカメラは、背面側に種々の操作ボタン等を備えている。このため、デジタルカメラの背面側において、表示装置の占有率を増加させることも困難である。また、デジタルカメラの背面側における表示装置の占有率を増加させるとなると、操作ボタン等を他の場所に移す必要が生じる。しかし、背面側以外の場所、例えば側面等に操作ボタン等を数多く設けると、撮影時等に誤って操作ボタンを押してしまうような誤操作を生じるおそれがあるため、現実的ではない。また、デジタルカメラが小型化されているので、背面全体を表示装置にしたとしても、更なるデジタルカメラの小型化によって、表示装置も小型化されるという問題もある。
【０００５】
また、上述した問題を解決する他の方法として、表示装置をデジタルカメラから独立させて、別部材とする方法が考えられる。しかし、デジタルカメラと表示装置とを別部材とすることによって表示装置の大型化は達成することが可能になるものの、持ち運びが不便になる等の問題がある。一方、撮影を行う際にデジタルカメラ等の持ち運びに使用しているものに表示機能を持たせるとすれば、表示装置とデジタルカメラとが別部材になったとしても、上述のような煩雑さを解消することが可能になり、便利である。
【０００６】
本発明は、上記問題に鑑みてなされたもので、その目的とするところは、デジタルカメラの表示装置よりも大きいサイズの表示装置を備え、かつ持ち運びにおいても撮影者の不便さを解消することが可能なカメラケースを提供することにある。
【課題を解決するための手段】
【０００７】
上記問題点を解決するにあたり、本発明のカメラケースは、電子カメラを収納可能な収納状態と、シート状に展開された展開状態とにすることが可能なカメラケースにおいて、前記収納状態の時には前記カメラケースの内面側に位置付けられ、前記展開状態の時には露呈するように前記カメラケースに重ねられた可撓性を有するシート状の表示手段と、前記電子カメラから出力されたデータ信号を伝送する信号ケーブルが接続される入力端子を有し、前記データ信号に基づいて前記表示手段に画像を表示させる表示制御手段とを備えたことを特徴とする。
【０００８】
また、本発明のカメラケースは、電子カメラを収納可能な収納状態と、シート状に展開された展開状態とにすることが可能なカメラケースにおいて、前記収納状態の時には前記カメラケースの内面側に位置付けられ、前記展開状態の時には露呈するように前記カメラケースに重ねられた可撓性を有するシート状の表示手段と、前記電子カメラとの間でデータ信号の送受信を行う送受信部を有し、前記データ信号に基づいて前記表示手段に画像を表示させる表示制御手段とを備えたことを特徴とする。
【０００９】
なお、前記表示制御手段は、前記表示制御手段及び前記表示手段を動作させる駆動電源を備えたことが好ましい。
【００１０】
また、前記駆動電源には、前記電子カメラ用のバッテリが使用されていることが好ましい。
【００１１】
また、前記表示制御手段は、前記収納状態時に前記電子カメラの背面に位置する背面部に設けられていることが好ましい。
【００１２】
また、前記表示手段は、エレクトロルミネセンスから構成されていることが好ましい。
【発明の効果】
【００１３】
本発明によれば、カメラケースに表示手段を設けているので、表示手段の大きさはカメラケースの大きさに依存する。したがって、表示手段の大画面化を図ることが可能になる。また、このように構成することで、撮影者が持ち運ぶ機材の数を増加させることがないので、基材を持ち運ぶときの撮影者の煩雑さを解消することが可能になる。さらに、表示制御手段に電池を着脱自在に取り付けられるようにすることによって、デジタルカメラから電源の供給を受ける必要がなくなるので、ケーブル等の取り回しが簡略化できる。また、この電池に電子カメラ用のバッテリを使用することによって、電子カメラと表示制御手段との駆動電源を共通化することができる。したがって、電子カメラ用のバッテリと表示制御手段用の電池とを別個に所持しなくてもよくなるので、部品点数を減らすことができ、撮影者が撮影時に持ち運ばなければならない機材等の数量を減らすことができる。
【発明を実施するための最良の形態】
【００１４】
本発明を適用したカメラケースの第１の実施形態の構成を図１ないし図５に基づいて説明する。図１に示すように、カメラケース１は、ケース本体２と、ケース本体２の被せ部２ａに取り付けられた表示制御装置３とから構成されている。ケース本体２は、皮革によって形成されている。このケース本体２は、デジタルカメラ１１を収納できる収納状態から、一枚のシート状に展開された展開状態（図３参照）にしたり、展開状態から収納状態にできるようになっている。ここで、被せ部２ａとは、図１においてはカメラケース１の上端面から下方に向けて延出した部分を意味する。この被せ部２ａは、上面部２ｂから延出するように形成されている。また、上面部２ｂは、カメラケース１の上端に位置する部分を意味し、被せ部２ａを閉じた状態（図１に示すような状態）のときには、上面部２ｂは、カメラケース１に設けられている開口を覆うように構成されている。
【００１５】
表示制御装置３は、矩形状のボックス３ａの中に後述するドライバ４１等が組み込まれている。この表示制御装置３の側面部３ｂには、画像信号が入力される画像信号入力端子４と、電源が供給される電源入力端子５とが設けられている。これらの入力端子４，５は、コネクタピンが挿入できるように形成されている。なお、これらの端子は、画像信号の送信及び電源の供給がされるものであれば、どのような形状のものを使用してもよいのは勿論である。
【００１６】
図２に示すように、被せ部２ａ及び上面部２ｂを上側に持ち上げると、デジタルカメラ１１を収納する収納部１２が露呈する。この収納部１２は、デジタルカメラ１１を挿入できる大きさになるように形成されている。ここで、カメラケース１のうち、デジタルカメラ１１の背面側に位置する部分を背面部２ｃと呼ぶこととする。同様に、デジタルカメラ１１に対して右側面から前面側を覆うように位置する部分を右側面部２ｄ、左側面から前面側を覆うように位置する部分を左側面部２ｅ、デジタルカメラ１１の底面に位置する部分を底面部２ｆ、底面部２ｆから前面側を覆うように延出しており、左側面部２ｅ及び右側面部２ｄのうち、デジタルカメラ１１の前面側に位置する箇所を覆う部分を前面部２ｇと呼ぶことにする。
【００１７】
符号１３ａ，１３ｂは、被せ部２ａを前面部２ｇに固定するマジックテープ（登録商標）である。なお、本実施形態では、被せ部２ａと前面部２ｇとの固定にマジックテープ１３ａ，１３ｂを使用することとしているが、被せ部２ａと前面部２ｇとの固定方法はマジックテープに限るものではなく、他の方法によって固定することとしてもよいことは言うまでもない。以下において、カメラケース１を収納状態に組み付ける際に、マジックテープで固定する箇所が出てくるが、これらについてもマジックテープ以外の方法によって固定することとしてもよいのは同様である。また、符号２１は表示部であるが、表示部２１については後述する。
【００１８】
図３に示すように、カメラケース１を展開状態にすると、表示部２１が露呈する。表示部２１は、可撓性を有するＥＬ（Ｅｌｅｃｔｒｏ  Ｌｕｍｉｎｅｓｃｅｎｃｅ）によって形成されている。表示部２１は、被せ部２ａ、上面部２ｂ、背面部２ｃ、底面部２ｆ及び前面部２ｇにまたがるようにケース本体２に重ねられており、例えば接着材等によって接着されている。なお、カメラケース１が収納状態から展開状態に展開される場合、又は展開状態から収納状態へ組み付けられる場合に、表示装置２１がケース本体２から剥がれないようになっているのであれば、上記以外の取り付け方法であってもよい。また、図３において、ケース本体２の中に付されている一転鎖線は、収納状態に組み付けられる際に折り曲げられる折り曲げ部を表している。また、符号２２はマジックテープである。マジックテープ２２は、カメラケース１を展開状態から収納状態にするときに、左側面部２ｅ及び右側面部２ｄに前面部２ｇを取り付ける際に使用する。収納状態においては、マジックテープ２２が左側面部２ｅ及び右側面部２ｇに取り付けられている。
【００１９】
次に、デジタルカメラ１１及びカメラケース１の電気的な構成を図４に基づいて説明する。デジタルカメラ１１は、レリーズボタン及び各種操作ボタン等から構成される入力部３１、撮影レンズ、ＣＣＤ及び各種処理回路から構成される撮影部３２、撮影部３２において生成された画像データをＪＰＥＧ等のファイル形式に圧縮する圧縮伸張回路３３、圧縮伸張回路３３によって圧縮されたファイルを記憶するメモリ３４、及びこれらの回路等を制御する制御部３５を備えている。また、デジタルカメラ１１は、表示切替部３６、画像信号出力端子３７、ＬＣＤドライバ３８、ＬＣＤ３９及びバッテリ４０を備えている。なお、図示していないが、デジタルカメラ１１とカメラケース１との間には、電源ケーブルが接続されている。また、図４中に付されている矢印は、画像データの流れを表している。
【００２０】
表示切替部３６は、メモリ３４に記憶されたデータの出力先をＬＣＤドライバ３８とドライバ４１のいずれかに切り替える。この切替操作は、入力部３１からの入力信号に基づいて、制御部３５が行う。なお、このときの出力は、ＬＣＤドライバ３８又はドライバ４１のいずれか一方のみに画像データを出力させるようにしてもよいし、ＬＣＤドライバ３８とドライバ４１との両方に画像データを表示させるようにしてもよい。また、この表示切替部３６の切替操作は、撮影者の操作によって行うのではなく、例えば、画像信号出力端子３７にコネクタが接続された場合にはドライバ４１に画像データを出力し、画像信号出力端子３７からコネクタが引き抜かれた場合にはＬＣＤドライバ３８に画像データを出力させるように、自動的に切り替えるようにしてもよい。
【００２１】
画像信号出力端子３７には、カメラケース１の画像信号入力端子４との間を接続するケーブルのコネクタが接続される。画像信号出力端子３７にコネクタが接続されており、かつ表示切替部３６が表示部２１に画像データを出力するように切り替えられている場合には、画像信号出力端子３７に画像データが伝送される。
【００２２】
ＬＣＤドライバ３８は、一端が表示切替部３６と接続し、他端がＬＣＤ３９と接続している。制御部３５によってメモリ３４から送られた画像データは、表示切替部３６を経由してＬＣＤドライバ３８に入力する。ＬＣＤドライバ３８では、制御部３５の制御に基づいて、表示切替部３６から送られたデジタルの画像データをアナログ信号に変換して、ＬＣＤ３９に出力する。
【００２３】
ＬＣＤ３９は、ＬＣＤドライバ３８と接続している。このＬＣＤ３９の制御は、制御部３５が行っている。ＬＣＤドライバ３８によって変換された信号を受けると、ＬＣＤ３９は、その信号に基づいて画像を表示する。
【００２４】
カメラケース１は、画像信号入力端子４、ドライバ４１及び表示部２１を備えている。画像信号入力端子４には、信号ケーブル４５の一端側に設けられているコネクタが取り付けられている。一方、この信号ケーブル４５の他端側には、画像信号出力端子３７と接続するコネクタが取り付けられている。したがって、画像信号入力端子４は、信号ケーブル４５が接続されると、画像信号出力端子３７と導通した状態になる。表示切替部３６を経由して画像信号出力端子３７に入力した画像データは、ケーブルを経由して画像信号入力端子４に伝送される。そして、画像入力端子４の他端側に接続されているドライバ４１に出力される。
【００２５】
ドライバ４１では、画像信号出力端子３７及び画像信号入力端子４を経由して送られてきた画像データに基づいて、表示部２１に信号を出力する。ドライバ４１は、その一端が画像信号入力端子４に接続され、他端が表示部２１に接続されている。ドライバ４１の制御は、制御部３５が行っている。表示部２１では、ドライバ４１から出力された信号に基づいて画像を表示させる。表示部２１はドライバ４１と接続されており、制御部３５によって制御されている。
【００２６】
なお、本実施形態のカメラケースでは、ドライバ４１及び表示部２１の制御を制御部３５が行うこととしているが、カメラケースに表示制御部等を設けておき、カメラケースが独立して制御するようにしてもよい。また、本実施形態のカメラケースでは、デジタルカメラ１１のバッテリ４０を表示制御装置３及び表示部２１の駆動電源として使用しているが、本発明はこれに限定されるものではなく、例えば、表示制御装置３及び表示部２１の動作に使用されるバッテリをカメラケース１に予め備えておくようにしてもよい。
【００２７】
次に、カメラケース１の作用を図５に基づいて説明する。図５に示すように、画像信号出力端子３７及び画像信号入力端子４には信号ケーブル４５が、電源出力端子及び電源入力端子５には電源ケーブル４６が接続されている。このような状態において、表示部２１に画像が表示されるように撮影者が表示切替部３６を切り替えると、表示部２１に画像が表示される。なお、この画像の表示の方法については、画面サイズに合わせて拡大表示することも可能であるし、デジタルカメラが撮影した画像のサイズに合わせて拡大表示することも可能である。これらの制御は、制御部３５によって行わせればよい。また、適宜これら以外の制御ができるようにすることも可能である。
【００２８】
このように、本発明を適用したカメラケースによれば、ＬＣＤよりも大きな表示部を使用して、撮影者は撮影後の再生画像をチェックすることができる。したがって、撮影者は、撮影時におけるピントのずれやブレ等を容易に発見することが可能になる。また、表示部をカメラケースに設けることとしているので、撮影時等に持ち運ぶ機材の数を増やすことなく持ち運ぶことができる。
【００２９】
なお、本実施形態では、表示制御装置をカメラケースの被せ部に取り付けることとしているが、本発明はこれに限定されるものではなく、被せ部以外の場所に取り付けることとしてもよい。例えば、図６に示すように、カメラケース１の背面部２ｃに表示制御装置３を取り付けてもよい。このように、カメラケース１の背面部２ｃに表示制御装置３を取り付けた場合には、表示部２１と表示制御装置３との間に設ける配線の長さを短くすることができるので、製造時におけるコストを軽減させることが可能になる。また、このように表示制御装置３を配置させることにより、配線を折り曲げ部の途中に配置させなくてもよいので、折り曲げ部でこれらのケーブルが断線するような不具合を解消することが可能になる。したがって、表示部の品質及び信頼性を向上させることが可能になる。
【００３０】
また、本実施形態では、表示部が複数の折り曲げ部をまたがった状態で配置されているが、この折り曲げ部にまたがる箇所を減少させるように表示部２１を配置させることとしてもよい。例えば、図３に示すカメラケースの場合は、被せ部２ａ、上面部２ｂ、背面部２ｃ、底面部２ｆ及び前面部２ｇにまたがるように表示部２１が取り付けられている。したがって、カメラケース１を収納状態にする場合には、表示部２１は４箇所で折り曲げられる。一方、図７に示すカメラケースの場合は、上面部２ｂ、背面部２ｃ及び底面部２ｆにまたがるように表示部２１がケース本体２に重ねられている。したがって、カメラケース１を収納状態にする場合には、表示部２１は２箇所で折り曲げられる。後者の場合には、本実施形態の表示部よりもその大きさが小さくなっているものの、折り曲げ部にまたがる箇所が少ないため、折り曲げによって表示部２１がダメージを受ける場所を減らすことができる。したがって、表示部２１の不具合の発生確率も減少させることができ、表示部をさらに長寿命化させることが可能になる。また、表示部の折り曲げに基づく不具合も減少させることが可能になる。
【００３１】
次に、本発明を適用したカメラケースの第２の形態を図８及び図９に基づいて説明する。なお、第１の形態と同一の箇所については説明を省略し、符号も同一のものを使用することとする。カメラケース５１は、表示制御装置５２を備えている。表示制御装置５２は、デジタルカメラ５３と無線によって通信を行う第１送受信部５４を備えている。なお、この第１送受信部５４に対応した送受信部がデジタルカメラ１１にも取り付けられているのは勿論である。以下において、デジタルカメラ５３の送受信部を第２送受信部５５という。また、表示制御装置５２とデジタルカメラ５３との通信には、ブルートゥース（Ｂｌｕｅ  Ｔｏｏｔｈ）が使用されている。
【００３２】
また、表示制御装置５２には、電池５６を収納する収納スペース５７が設けられている。さらに、表示制御装置５２には、その収納スペース５７を覆うカバー５８が取り付けられる。なお、本実施形態では、電池５６にはカメラ用のバッテリとは別のものを使用することとしているが、この電池には、カメラの駆動用バッテリを使用することとしても良い。このように、カメラの駆動用バッテリを使用することにより、デジタルカメラ５３及び表示制御装置５２のバッテリを共用することができるので、デジタルカメラ用のバッテリと、表示制御装置用の電池とを別個に所持する必要がなくなる。したがって、撮影者の負担を減少させることが可能になる。
【００３３】
本実施形態のデジタルカメラ５３とカメラケース５１との電気的構成を図９に示す。デジタルカメラ５３は、レリーズボタン及び各種操作ボタン等から構成される入力部３１、撮影レンズ、ＣＣＤ及び各種処理回路から構成される撮影部３２、撮影部３２において生成された画像データをＪＰＥＧ等のファイル形式に圧縮する圧縮伸張回路３３、圧縮伸張回路３３によって圧縮されたファイルを記憶するメモリ３４、及びこれらの回路等を制御する制御部３５を備えている。また、デジタルカメラ１１は、表示切替部３６、ＬＣＤドライバ３８、ＬＣＤ３９、バッテリ４０及び第２送受信部５５を備えている。
【００３４】
表示切替部３６は、メモリ３４に記憶された画像データの出力先をＬＣＤドライバ３８と第２送受信部５５のいずれかに切り替える。この切替操作は、入力部３１からの入力信号に基づいて、制御部３５が行う。なお、このときの出力は、ＬＣＤドライバ３８又は第２送受信部５５のいずれか一方のみに画像データを出力させるようにしてもよいし、ＬＣＤドライバ３８と第２送受信部５５との両方に画像データを表示させるようにしてもよい。
【００３５】
第２送受信部５５は、制御部３５によってメモリ３４から出力された画像データを符号化して、後述する第１送受信部５４に送信する。この場合には、第１送受信部５４と第２送受信部５５とが互いに識別できるようになっている。例えば、第１送受信部５４及び第２送受信部５５に固有のアドレスを付加しておき、第１送受信部５４は、対応したアドレスを持つ第２送受信部５５から出力された画像データのみを受信するような構成になっている。なお、第１送受信部５４と第２送受信部５５との間で識別できるのであれば、上記以外の方法によって識別することとしても良い。
【００３６】
カメラケース５１は、第１送受信部５４及び電池５６を備えている。第１送受信部５４は、一端がドライバ４１と接続されている。第２送受信部５５から出力された画像データを第１送受信部５４が受けると、第１送受信部５４はその符号化された画像データを復号する。そして、復号された画像データをドライバ４１に出力する。
【００３７】
ドライバ４１は、一端が第１送受信部５４と接続され、他端が表示部２１と接続されている。ドライバ４１には、第１送受信部５４から出力された画像データが入力する。ドライバ４１は、この入力した画像データに変換して、表示部２１に信号を出力する。表示部２１は、一端がドライバ４１と接続されている。表示部２１は、ドライバ４１によって変換された信号に基づいて画像を表示する。なお、本実施形態では、表示部２１の制御はデジタルカメラ５３の制御部３５が行っている。したがって、表示部２１の制御に関する制御信号も、第２送受信部５５から第１送受信部５４へ送信されている。なお、本実施例においては、表示部２１の制御を制御部３５によって行うこととしているが、本発明はこれに限定されるものではなく、表示部２１の制御をカメラケース５１が独自に行うようにしてもよい。
【００３８】
このように、無線によってデジタルカメラとカメラケースとの間の通信を行わせることによって撮影者がケーブルの配線等の作業をすることがなくなるので、表示部を使用する際における撮影者の手間を軽減させることが可能になる。
【００３９】
なお、本実施形態の場合においても、表示制御装置をカメラケースの被せ部以外の場所に取り付けても良い。また、カメラケースの背面部に表示制御装置を取り付けた場合には、表示部と表示制御装置との間の配線を短くすることができるので、製造時におけるコストを軽減させることが可能になる。また、表示部の配設箇所についても、折り曲げ部にまたがる箇所を減少させるように表示部を配置させることとしてもよい。これにより、折り曲げ部における折り曲げ動作によって、表示部がダメージを受ける箇所を減少させ、表示部の長寿命化を図ることが可能になる。
【００４０】
さらに、本実施形態では、第１送受信部と第２送受信部との通信にブルートゥースを使用することとしているが、本発明はこれに限定されるものではなく、ブルートゥース以外の通信方法を使用することとしてもよい。
【図面の簡単な説明】
【００４１】
【図１】本発明の第１の形態のカメラケースの外観を表した外観斜視図である。
【図２】カメラケースの上面部及び被せ部を開けた状態のカメラケースの外観を表した外観斜視図である。
【図３】カメラケースの展開状態を表した展開図である。
【図４】カメラケース及びデジタルカメラの電気的構成を表したブロック図である。
【図５】カメラケースとデジタルカメラとを接続した場合における構成を表した説明図である。
【図６】第１の形態の変形例であるカメラケースの展開状態を表した展開図である。
【図７】第１の形態の変形例であるカメラケースの展開状態を表した展開図である。
【図８】本発明の第２の形態の表示制御装置とデジタルカメラの構成を説明する説明図である。
【図９】第２の形態のカメラケース及びデジタルカメラの電気的構成を表したブロック図である。
【符号の説明】
【００４２】
１    カメラケース
２ｃ  背面部
３    表示制御装置（表示制御手段）
１１  デジタルカメラ（電子カメラ）
２１  表示部（表示手段）
４０  バッテリ
４５  信号ケーブル
４９  画像信号入力端子（入力端子）
５４  第１送受信部（送受信部）
５６  電池（駆動電源）
【図１】
2007027869.tif 000003
【図２】
2007027869.tif 000004
【図３】
2007027869.tif 000005
【図４】
2007027869.tif 000006
【図５】
2007027869.tif 000007
【図６】
2007027869.tif 000008
【図７】
2007027869.tif 000009
【図８】
2007027869.tif 000010
【図９】
2007027869.tif 000011